【手続補正書】
【提出日】平成21年3月23日(2009.3.23)
【手続補正１】
【補正対象書類名】特許請求の範囲
【補正対象項目名】全文
【補正方法】変更
【補正の内容】
【特許請求の範囲】
【請求項１】
あらかじめ定められている可変表示の実行条件が成立したことにもとづいて識別情報の可変表示を開始し、表示結果を導出表示する第１可変表示手段および第２可変表示手段を有し、前記第１可変表示手段または前記第２可変表示手段のいずれかに特定表示結果が導出表示されたときに遊技者にとって有利な特定遊技状態に移行させる遊技機であって、
遊技の進行を制御し、遊技機に対する電力供給が停止してもバックアップ電源によりデータが保持されるＲＡＭを有し、電力供給が開始されたときに前記ＲＡＭの保存データにもとづいて遊技状態を復帰させることが可能であり、前記第１可変表示手段および前記第２可変表示手段の可変表示を制御し、当該可変表示の状態を特定可能なコマンドを送信する遊技制御手段と、
前記遊技制御手段が送信したコマンドにもとづいて遊技機に設けられている演出用部品の制御を行う演出制御手段とを備え、
前記遊技制御手段は、
前記第１可変表示手段における可変表示の実行条件の成立数を計数する第１計数手段と、
前記第２可変表示手段における可変表示の実行条件の成立数を計数する第２計数手段と、
前記第１可変表示手段および前記第２可変表示手段で識別情報の可変表示が実行されていないことを条件として、前記第１可変表示手段または前記第２可変表示手段での識別情報の可変表示の開始条件の成立に応じて前記第１可変表示手段または前記第２可変表示手段で識別情報の可変表示を開始するときに、前記第１可変表示手段と前記第２可変表示手段とのうちいずれで識別情報の可変表示を開始するのかを特定可能な表示手段特定情報と、可変表示時間を特定可能な表示時間情報と、表示結果を特定可能な表示結果情報とを、コマンドにより送信する開始コマンド送信手段と、
前記第１計数手段によって計数された成立数または前記第２計数手段によって計数された成立数が増加したことにもとづいて、いずれの成立数が増加したのかを示す成立数識別コマンドと、前記第１計数手段による計数に対応する成立数、および前記第２計数手段による計数に対応する成立数を特定可能な計数特定コマンドとを送信する計数特定コマンド送信手段と、
遊技状態を復帰させるときに、前記ＲＡＭに保存されていた前記第１計数手段による計数に対応する成立数、および前記第２計数手段による計数に対応する成立数を特定可能なデータにもとづいて前記計数特定コマンドを送信する復帰時コマンド送信手段とを含み、
前記第１計数手段によって計数された成立数と前記第２計数手段によって計数された成立数とを特定可能な表示を行う成立数表示手段を備え、
前記演出制御手段は、
前記開始コマンド送信手段により送信された表示手段特定情報を示すコマンドで特定される可変表示手段に対応した演出を前記演出用部品で実行する演出実行手段と、
前記計数特定コマンド送信手段が送信した前記計数特定コマンドにもとづいて、前記成立数表示手段に、前記第１計数手段によって計数された成立数を特定可能な第１の態様で表示を行わせ、前記第２計数手段によって計数された成立数を特定可能な第２の態様で表示を行わせる成立数表示制御手段と、
前記復帰時コマンド送信手段により前記計数特定コマンドが送信されたときに、前記成立数表示手段に、前記第１の態様および前記第２の態様とは異なる特別態様で成立数を特定可能な表示を行わせる成立数表示態様制御手段とを含む
ことを特徴とする遊技機。
【請求項２】
成立数表示制御手段は、復帰時コマンド送信手段により計数特定コマンドが送信された後に、成立数表示手段に、第１計数手段によって計数された成立数を特定可能な第１の態様で表示を行わせ、第２計数手段によって計数された成立数を特定可能な第２の態様で表示を行わせる
請求項１記載の遊技機。
【請求項３】
復帰時コマンド送信手段は、遊技状態を復帰させることを示す復帰コマンドを送信し、
演出制御手段は、復帰時コマンド送信手段により前記復帰コマンドが送信されたときに、遊技状態が復帰されることを報知する報知手段を含み、
成立数表示態様制御手段は、前記復帰時コマンド送信手段により前記復帰コマンドが送信されたことを条件に、成立数表示手段に特別態様で成立数を特定可能な表示を行わせる
請求項１または請求項２記載の遊技機。
【請求項４】
成立数表示制御手段は、計数特定コマンド送信手段が送信したコマンドにもとづいて、合計成立数表示手段に、第１計数手段によって計数された成立数と第２計数手段によって計数された成立数との合計に対応する合計数を特定可能に表示させる
請求項１から請求項３のいずれかに記載の遊技機。
【請求項５】
遊技制御手段は、第１可変表示手段および第２可変表示手段での識別情報の可変表示時間を決定する可変表示時間決定手段を備え、
前記可変表示時間決定手段は、第１計数手段によって計数された成立数と第２計数手段によって計数された成立数との合計に対応する合計数が所定数以上のときには、該合計数が所定数未満であるときに比べて可変表示時間を短縮する
請求項１から請求項４のいずれかに記載の遊技機。
【手続補正２】
【補正対象書類名】明細書
【補正対象項目名】００１３
【補正方法】変更
【補正の内容】
【００１３】
本発明による遊技機は、あらかじめ定められている可変表示の実行条件（例えば第１始動入賞口１３，第２始動入賞口１４への遊技球の入賞）が成立したことにもとづいて識別情報（例えば、特別図柄）の可変表示を開始し、表示結果を導出表示する第１可変表示手段（例えば、第１特別図柄表示器８ａ）および第２可変表示手段（例えば、第２特別図柄表示器８ｂ）を有し、第１可変表示手段または第２可変表示手段のいずれかに特定表示結果（例えば、大当り図柄）が導出表示されたときに遊技者にとって有利な特定遊技状態（例えば、大当り遊技状態）に移行させる遊技機であって、遊技の進行を制御し、遊技機に対する電力供給が停止してもバックアップ電源（例えば、コンデンサ９１６）によりデータが保持されるＲＡＭ（例えば、ＲＡＭ５５）を有し、電力供給が開始されたときにＲＡＭの保存データにもとづいて遊技状態を復帰させることが可能であり（例えば、ステップＳ９１〜Ｓ９３の処理を実行。ステップＳ９２の処理で初期化されないデータは電力供給停止時より前のデータということになるので遊技状態は復帰される。）、第１可変表示手段および第２可変表示手段の可変表示を制御し、可変表示の状態を特定可能なコマンド（例えば、演出制御コマンド）を送信する遊技制御手段（例えば、遊技制御用マイクロコンピュータ５６０）と、遊技制御手段が送信したコマンドにもとづいて遊技機に設けられている演出用部品（例えば、演出表示装置９）の制御を行う演出制御手段（例えば、演出制御用マイクロコンピュータ１００）とを備え、遊技制御手段は、第１可変表示手段における可変表示の実行条件の成立数を計数する第１計数手段（例えば、遊技制御用マイクロコンピュータ５６０において、ステップＳ１１２の処理を実行する部分）と、第２可変表示手段における可変表示の実行条件の成立数を計数する第２計数手段（例えば、遊技制御用マイクロコンピュータ５６０において、第２特別図柄プロセス処理でステップＳ１１２の処理に相当する処理を実行する部分）と、第１可変表示手段および第２可変表示手段で識別情報の可変表示が実行されていないことを条件として（例えば、ステップＳ３１４の判定条件。ステップＳ１３８またはステップＳ１５１の処理が実行されたこと。）、第１可変表示手段または第２可変表示手段での識別情報の可変表示の開始条件の成立に応じて第１可変表示手段または第２可変表示手段で識別情報の可変表示を開始するときに、第１可変表示手段と第２可変表示手段とのうちいずれで識別情報の可変表示を開始するのかを特定可能な表示手段特定情報（例えば、第１図柄変動指定コマンドや第２図柄変動指定コマンドが示す情報）と、可変表示時間を特定可能な表示時間情報（例えば、変動パターンコマンドが示す情報）と、表示結果を特定可能な表示結果情報（例えば、演出図柄指定コマンドが示す情報）とを、コマンド（例えば、第１図柄変動指定コマンドや第２図柄変動指定コマンド、変動パターンコマンドおよび演出図柄指定コマンド）により送信する開始コマンド送信手段（例えば、遊技制御用マイクロコンピュータ５６０において、ステップＳ８０，Ｓ１０７，Ｓ３７４〜Ｓ３７７，Ｓ３８１〜Ｓ３８３の処理を実行する部分）と、第１計数手段によって計数された成立数または第２計数手段によって計数された成立数が増加したことにもとづいて、いずれの成立数が増加したのかを示す成立数識別コマンド（例えば、第１始動入賞指定コマンドや第２始動入賞指定コマンド）と、第１計数手段による計数に対応する成立数、および第２計数手段による計数に対応する成立数を特定可能な計数特定コマンド（例えば、合算保留記憶数指定コマンド）とを送信する計数特定コマンド送信手段（例えば、遊技制御用マイクロコンピュータ５６０において、ステップＳ１１６，Ｓ３６１〜Ｓ３６４，Ｓ３６５〜Ｓ３６８の処理を実行する部分）と、遊技状態を復帰させるときに、ＲＡＭに保存されていた第１計数手段による計数に対応する成立数、および第２計数手段による計数に対応する成立数を特定可能なデータ（例えば、合算保留記憶数カウンタの値）にもとづいて計数特定コマンドを送信する復帰時コマンド送信手段（例えば、遊技制御用マイクロコンピュータ５６０において、ステップＳ９３，Ｓ３５６，Ｓ２５８〜３６０の処理を実行する部分）とを含み、第１計数手段によって計数された成立数と第２計数手段によって計数された成立数とを特定可能な表示を行う成立数表示手段（例えば、合算保留記憶表示部１８ｃ）を備え、演出制御手段は、開始コマンド送信手段により送信された表示手段特定情報を示すコマンドで特定される可変表示手段に対応した演出（例えば、予告演出や演出図柄の可変表示）を演出用部品で実行する演出実行手段（例えば、演出制御用マイクロコンピュータ１００において、ステップＳ８２４〜Ｓ８２７、Ｓ８４２〜Ｓ８４４の処理を実行する部分）と、計数特定コマンド送信手段が送信した計数特定コマンドにもとづいて、成立数表示手段に、第１計数手段によって計数された成立数を特定可能な第１の態様（例えば、赤色丸印）で表示を行わせ、第２計数手段によって計数された成立数を特定可能な第２の態様（例えば、緑色丸印）で表示を行わせる成立数表示制御手段（例えば、演出制御用マイクロコンピュータ１００において、ステップＳ９０１，Ｓ９０９，Ｓ９１１，Ｓ９２１，Ｓ９２３の処理を実行する部分）と、復帰時コマンド送信手段により計数特定コマンドが送信されたときに、成立数表示手段に、第１の態様および第２の態様とは異なる特別態様（例えば、星印）で成立数を特定可能な表示を行わせる成立数表示態様制御手段（例えば、演出制御用マイクロコンピュータ１００において、ステップＳ９０２，Ｓ９０４の処理を実行する部分）とを含むことを特徴とする。
【手続補正３】
【補正対象書類名】明細書
【補正対象項目名】００１４
【補正方法】変更
【補正の内容】
【００１４】
成立数表示制御手段は、復帰時コマンド送信手段により計数特定コマンドが送信された後に、成立数表示手段に、第１計数手段によって計数された成立数を特定可能な第１の態様で表示を行わせ、第２計数手段によって計数された成立数を特定可能な第２の態様で表示を行わせる（例えば、ステップＳ９０１，Ｓ９０９，Ｓ９１１，Ｓ９２１，Ｓ９２３の処理。それらの処理は、ステップＳ９０２，Ｓ９０４の処理が実行された後に実行される。）ように構成されていてもよい。
【手続補正４】
【補正対象書類名】明細書
【補正対象項目名】００１６
【補正方法】変更
【補正の内容】
【００１６】
成立数表示制御手段は、計数特定コマンド送信手段が送信したコマンドにもとづいて、合計成立数表示手段に、第１計数手段によって計数された成立数と第２計数手段によって計数された成立数との合計に対応する合計数を特定可能に表示させる（ステップＳ９１１，Ｓ９２３の処理。図３８（Ａ），（Ｂ）参照。）ように構成されていてもよい。
【手続補正５】
【補正対象書類名】明細書
【補正対象項目名】００１７
【補正方法】変更
【補正の内容】
【００１７】
遊技制御手段は、第１可変表示手段および第２可変表示手段での識別情報の可変表示時間を決定する可変表示時間決定手段（例えば、遊技制御用マイクロコンピュータ５６０において、ステップＳ７７，Ｓ７８の処理を実行する部分）を含み、可変表示時間決定手段は、第１計数手段によって計数された成立数と第２計数手段によって計数された成立数との合計に対応する合計数が所定数以上のときには、合計数が所定数未満であるときに比べて可変表示時間を短縮する（例えば、合算保留記憶数カウンタの値が４以上であれば、短縮変動パターンテーブルから変動パターンを選択する）ように構成されていてもよい。
【手続補正６】
【補正対象書類名】明細書
【補正対象項目名】００１８
【補正方法】変更
【補正の内容】
【００１８】
請求項１記載の発明では、遊技制御手段は、第１可変表示手段と第２可変表示手段とのうちいずれで識別情報の可変表示を開始するのかを特定可能な表示手段特定情報と、可変表示時間を特定可能な表示時間情報と、表示結果を特定可能な表示結果情報とを、コマンドにより送信する開始コマンド送信手段と、第１計数手段によって計数された成立数または第２計数手段によって計数された成立数が増加したことにもとづいて、いずれの成立数が増加したのかを示す成立数識別コマンドと、第１計数手段による計数に対応する成立数、および第２計数手段による計数に対応する成立数を特定可能な計数特定コマンドとを送信する計数特定コマンド送信手段とを含み、演出制御手段は、開始コマンド送信手段により送信された表示手段特定情報を示すコマンドで特定される可変表示手段に対応した演出を演出用部品で実行し、計数特定コマンド送信手段が送信した計数特定コマンドにもとづいて、成立数表示手段に、第１計数手段によって計数された成立数を特定可能な第１の態様で表示を行わせ、第２計数手段によって計数された成立数を特定可能な第２の態様で表示を行わせるので、可変表示時間を特定可能な表示時間情報を示すコマンドを、第１可変表示手段での識別情報の可変表示と第２可変表示手段での識別情報の可変表示とで共通に使用でき、演出制御手段が、表示手段特定情報を示すコマンドで特定される可変表示手段に対応した演出を演出用部品で開始する場合に、遊技制御手段から送信されるコマンドの種類を増大させないようにすることができる。また、遊技制御手段から送信されるコマンドの種類を増やすことなく、いずれの可変表示手段での識別情報の可変表示の実行条件の成立数が増加したのかを演出制御手段が把握できるようになる。さらに、復帰時コマンド送信手段により計数特定コマンドが送信されたときに、成立数表示手段に、第１の態様および第２の態様とは異なる特別態様で成立数を特定可能な表示を行わせるので、、所定の態様によって、遊技状態が復帰したことを容易に把握できるようになる。
【手続補正７】
【補正対象書類名】明細書
【補正対象項目名】００１９
【補正方法】変更
【補正の内容】
【００１９】
請求項２記載の発明では、成立数表示制御手段は、復帰時コマンド送信手段により計数特定コマンドが送信された後に、成立数表示手段に、第１計数手段によって計数された成立数を特定可能な第１の態様で表示を行わせ、第２計数手段によって計数された成立数を特定可能な第２の態様で表示を行わせるので、復帰時コマンド送信手段により計数特定コマンドが送信された後では、成立数を特定可能な表示を正常に行うことができる。
【手続補正８】
【補正対象書類名】明細書
【補正対象項目名】００２１
【補正方法】変更
【補正の内容】
【００２１】
請求項４記載の発明では、成立数表示手段は、計数特定コマンド送信手段が送信したコマンドにもとづいて、合計成立数表示手段に、第１計数手段によって計数された成立数と第２計数手段によって計数された成立数との合計に対応する合計数を特定可能に表示させるので、第１計数手段によって計数された成立数および第２計数手段によって計数された成立数だけでなく、合計数も遊技者に把握させやすくすることができる。
【手続補正９】
【補正対象書類名】明細書
【補正対象項目名】００２２
【補正方法】変更
【補正の内容】
【００２２】
請求項５記載の発明では、可変表示時間決定手段は、第１計数手段によって計数された成立数と第２計数手段によって計数された成立数との合計に対応する合計数が所定数以上のときには、合計数が所定数未満であるときに比べて可変表示時間を短縮するので、合計数が所定値以上であるときに、第１可変表示手段と第２可変表示手段とのうちのいずれか一方の可変表示手段で短縮変動が行われ、他方の可変表示手段では短縮変動が行われない事態が発生することを防止できる。